(57)【要約】【課題】足腰が衰えた高齢者や足腰に障害を持つ歩行障害者等のみならず健常者も使い易く、安全に歩行を補助できる歩行補助用杖を提供する。【解決手段】杖の上端に設けられ手掌を上から被せる第１のグリップ２と、第１のグリップ２の下端に杖軸方向に沿って設けられ、使用者の手掌が当接し得る部分に凹部３２が形成された第２のグリップ３と、第２のグリップ３の下端に設けられたアウターパイプ４と、アウターパイプ４の下端から引き出し可能に挿入されるインナーパイプ７と、任意の引き出し長さでインナーパイプ７をアウターパイプ４に対して固定するロック機構５と、インナーパイプ７の上端に設けられた衝撃吸収機構６と、インナーパイプ７の下端に設けられた石突９を備えた。【選択図】  図１
0003205612.tif 000002
【実用新案登録請求の範囲】
【請求項１】
杖の上端に設けられ手掌を上から被せる第１のグリップと、
第１のグリップの下端に杖軸方向に沿って設けられ、使用者の手掌が当接し得る部分に凹部が形成された第２のグリップと、
第２のグリップの下端に設けられたアウターパイプと、
アウターパイプの下端から引き出し可能に挿入されるインナーパイプと、
任意の引き出し長さでインナーパイプをアウターパイプに対して固定するロック機構と、
インナーパイプの上端に設けられた衝撃吸収機構と、
インナーパイプの下端に設けられた石突を備えたことを特徴とする歩行補助用杖。
【請求項２】
前記第２のグリップが、ＥＶＡ（エチレン−酢酸ビニル共重合樹脂）で構成されていることを特徴とする請求項１に記載の歩行補助用杖。
【請求項３】
前記石突が、前記インナーパイプと密嵌する嵌合部と、接地部とを、可撓性の頸部を介して一体的に連成した形状であることを特徴とする請求項１または２に記載の歩行補助用杖。
【考案の詳細な説明】
【技術分野】
【０００１】
本考案は、足腰が衰えた高齢者や足腰に障害を持つ歩行障害者等のみならず、健常者も使い易い歩行補助用杖に関する。
【０００２】
一般的に、杖は、足腰が衰えた高齢者や足腰に障害を持つ歩行障害者等（以下、使用者という）は、歩行する際の補助を目的として使用されている。歩行補助のために杖を用いることで、使用者は歩行時において足腰にかかる負担を軽減することができ、かつ、歩行の際の身体バランスを確保し易くなる。そのため、このような歩行補助用杖として、種々の提案がなされている。
【０００３】
例えば、特許文献１には、着地時の衝撃が杖先から杖本体を伝達して把持した手を痛めることを防止するために、杖本体にコイルばねが内蔵された杖が提案されている。また、特許文献２には、石突の接地底面積を大きくし、杖本体の重心を下げ、さらに緩衝材を設けることによって歩行時のふらつきを無くすよう構成された杖が提案されている。
【先行技術文献】
【特許文献】
【０００４】
【特許文献１】実用新案登録第３０６４５９８号公報
【特許文献２】特開２００１−２８６３１５号公報
【考案の概要】
【考案が解決しようとする課題】
【０００５】
これらの歩行補助用杖は、歩行時に使用者の手掌を上から被せて体重を支持し易いよう、杖本体の一端にＴ字状のグリップが備えられている。一方、体重を支える必要がない健常者等は、Ｔ字状のグリップを把持せずに杖の軸部分を把持していることが実情であった。その際、着地時の衝撃により、直状の杖本体が手掌を滑り、把持し難いという問題があり、健常者等には使い勝手の悪いものであった。
【０００６】
また、杖は、接地する石突を支点として使用者の体重を支えて歩行を行うため、杖を傾斜させた状態で接地させると石突が滑り易く、安全に歩行を補助できるよう、石突のさらなる改良が望まれていた。
【０００７】
本考案は、上記の問題点に鑑みなされたもので、足腰が衰えた高齢者や足腰に障害を持つ歩行障害者等のみならず健常者も使い易く、安全に歩行を補助できる歩行補助用杖を提供することを目的とする。
【課題を解決するための手段】
【０００８】
このため本考案の歩行補助用杖は、杖の上端に設けられ手掌を上から被せる第１のグリップと、第１のグリップの下端に杖軸方向に沿って設けられ、使用者の手掌が当接し得る部分に凹部が形成された第２のグリップと、第２のグリップの下端に設けられたアウターパイプと、アウターパイプの下端から引き出し可能に挿入されるインナーパイプと、任意の引き出し長さでインナーパイプをアウターパイプに対して固定するロック機構と、インナーパイプの上端に設けられた衝撃吸収機構と、インナーパイプの下端に設けられた石突を備えたことを第１の特徴とする。
【０００９】
また、前記第２のグリップが、ＥＶＡ（エチレン−酢酸ビニル共重合樹脂）で構成されていることを第２の特徴とする。
【００１０】
さらに、前記石突が、前記インナーパイプと密嵌する嵌合部と、接地部とを、可撓性の頸部を介して一体的に連成した形状であることを第３の特徴とする。
【考案の効果】
【００１１】
本考案の歩行補助用杖は、以下の優れた効果を有する。
（１）第１のグリップと、第２のグリップを備えているため、使用者は把持位置を選択して使用することができる。
（２）第２のグリップは、使用者の手掌が当接し得る部分に凹部が形成されているため、把持し易い。
（３）第２のグリップは、ＥＶＡで構成されているため、接地時の衝撃を吸収し、手首に伝達することを防ぐことができる。ひいては使用時の疲労軽減をもたらす。
（４）石突が頸部を備えているため、歩行補助用杖が傾いた状態でも頸部が撓むことで、石突の底面を確実に着地させることができ、歩行補助の安全性を向上させることができる。
【図面の簡単な説明】
【００１２】
【図１】本考案に係る歩行補助用杖のインナーパイプを取り外した状態を示す正面図である。
【図２】本考案に係る歩行補助用杖の衝撃吸収機構の構成を示す分解斜視図である。
【図３】本考案に係る歩行補助用杖の衝撃吸収機構の作動状態を示す断面図である。
【図４】本考案に係る歩行補助用杖の石突の構造を示す（ａ）が断面図、（ｂ）が底面図である。
【考案を実施するための形態】
【００１３】
本考案に係る歩行補助用杖１は、図１に示すように、第１のグリップ２の下端に設けられた第２のグリップ３を介して設けられたアウターパイプ４と、アウターパイプ４の下端に引き出し可能に挿入されるインナーパイプ７と、任意の引き出し長さでインナーパイプ７をアウターパイプ４に対して固定するロック機構５と、インナーパイプ７の上端に設けられる衝撃吸収機構６と、インナーパイプ７の下端にジョイント部８を介して設けられる石突９とを備える。
【００１４】
第１のグリップ２は、グリップの材料としては木材、硬質樹脂をＴ字状に形成してなる。また、芯部をＴ字状に硬質材料で形成し、その周囲を摩擦係数の高い軟質材料で被覆しても良い。本考案において第１のグリップ２は、使用者が手掌を上から被せて把持し、体重を杖軸芯へ伝達可能なＴ字形状や、傘の把持部のように湾曲した形状であれば良く、材質はとくに限定されるものではない。
【００１５】
第１のグリップ２の下端には、第２のグリップ３が設けられている。そのため、使用者は、把持する位置を選択して使用できる。第２のグリップ３は、その表面に複数の波状突起３１が設けられており、波状突起３１間の凹部３２が使用者の手掌に当接してしっかりと把持できるよう構成されている。第２のグリップ３は、耐候性、衝撃吸収性、軽量性に優れるＥＶＡ（エチレン−酢酸ビニル共重合樹脂）を成型したもので、把持して歩行する際の疲労軽減、並びに着地時の衝撃により滑ることを防止することができる。
【００１６】
第２のグリップ３の下端には、アルミニウム製のアウターパイプ４が設けられており、第１のグリップ２と一体となるよう構成されている。アウターパイプ４は、軽量性、製造コストの面から炭素繊維強化プラスチックやアルミ合金などの軽量素材を用いることが好ましいが、これに限定されるものではない。また、その形状も円筒のほか、筒断面が三角形や四角形など多角形の角筒であっても良い。
【００１７】
アウターパイプ４の下部には、ロック機構５が備えられており、任意の引き出し長さでインナーパイプ７をアウターパイプ４に対して伸縮調節固定できる。ロック機構は、一般的に用いられる伸縮調節機構を用いることができるため、詳細な説明は省略するが、ワンタッチで引き出し長さを調節できるよう構成されたものが好ましい。
【００１８】
インナーパイプ７は、アルミニウム製で、アウターパイプ４に挿入されて任意の引き出し長さに摺動可能に構成されている。したがって、インナーパイプ７の外径はアウターパイプ４の内径より僅かに小径となるよう形成されている。また、その形状も円筒のほか、筒断面が三角形や四角形など多角形の角筒であっても良い。
【００１９】
インナーパイプ７の上端には、衝撃吸収機構６が固着されている。衝撃吸収機構６は、周方向へ回転させることで、アウターパイプ４への固定が行えるとともに、衝撃吸収機能をＯＮ−ＯＦＦさせることができる。衝撃吸収機構６は、図２、図３に示すように、係止段差部６８１が周設されたシリンダー６８と、シリンダー６８内を摺動する支軸部６６と、支軸部６６の略中央に設けられた係止皿６６１と係止段差部６８１間に設けられるコイルバネ６７と、支軸部６６の軸方向に摺動可能に装着されるストッパー６５、スペーサ６４、摺動体６３、及び拡張体６２と、支軸部６６の端部に螺設されるナット６１とから構成されている。
【００２０】
シリンダー６８は、樹脂製で、その側面に、支軸部６６の端部に設けられた貫通穴６６２に挿入される摺動ピン６６４が、シリンダー６８の軸方向に沿って摺動可能な逆Ｌ字状の長穴６８２が設けられている。また、係止段差部６８１の外径は、インナーパイプ７の外径とほぼ同径、また係止段差部以外の外径は、インナーパイプ７の内径とほぼ同径となるよう形成されている。したがって、支軸部６６とシリンダー６８に固着されたインナーパイプ７は、長穴６８２に沿って摺動、及び周方向に回転可能に構成される。
【００２１】
支軸部６６は、アルミニウム製で、略中央に設けられた係止皿６６１の両面側に軸棒６６５ａ，６６５ｂが形成されている。軸棒６６５ｂの先端には、摺動ピン６６３が挿入される貫通穴６６２が形成され、軸棒６６５ａの先端には、径の異なる雄ネジ部６６３ａ，６６３ｂが形成されている。
【００２２】
ストッパー６５は、中空部を有する略錐体で、軸棒６６５ａに摺動可能に装着される。スペーサ６４は、切欠部６４１が形成された筒体であり、この切欠部６４１により僅かながら周方向に対する弾性性能を有している。そのため、摺動体６３とストッパー６５が互いに近づいた際には、切欠部６４１が僅かに広がるとともに、元の状態へ戻ろうとする復元力が働く。胴が膨らんだ樽状の摺動体６３は、スペーサ６４の復元力を受けてストッパー６５から遠ざける方向へ力が働くため、摺動体６３がスペーサ６４に嵌ること、及びスペーサ６４が破壊されることを防止することができる。
【００２３】
拡張体６２は、摺動体６３を軸棒６６５ａの軸方向に摺動させるとともに、インナーパイプ７をアウターパイプ４に固定させる。拡張体６２は、小径部６２１と複数の切欠部６２３が設けられた大径部６２２の異なる径の筒体が一体的に形成されている。図３に示すように、大径部６２２の外径は、アウターパイプ４の内径と摩擦接触する程度の径に形成されており、小径部６２１の内周には、雄ネジ部６６３ｂと螺合する雌ネジが形成されている。そのため、図３（ａ）に示すように、アウターパイプ４に衝撃吸収機構６を挿入する際には、切欠部６２３により大径部６２２が変形し摩擦接触を軽減させ、挿入が容易となる。任意の位置まで挿入後は、再び大径部６２２の外周が復元しアウターパイプ４の内周と摩擦接触する。インナーパイプ７ごと周方向へ回転させることで、図３（ｂ）に示すように、拡張体６２は一定の位置のまま、摺動体６３が大径部６２２の端片をアウターパイプ４の内周へ拡張させ、大径部６２２とアウターパイプ４の内周間の摩擦力をより強固とする。したがって、図３（ｃ）に示すように、インナーパイプ７とアウターパイプ４間にコイルバネ６７の弾性力を付与し、歩行補助用杖１に衝撃吸収機能を付与することが可能となる。また、インナーパイプ７を大径部６２２が拡張される方向へ回転させることで、摺動ピン６６４が逆Ｌ字状の長穴６８２の長手方向に自ずと配置され、長穴６８２の長手方向に沿って摺動可能となり、歩行補助用杖１の衝撃吸収機能をＯＮ状態とすることができる。さらに、インナーパイプ７を図３（ｂ）に矢印で示した方向と逆方向に回転させることで、摺動ピン６６４が、長穴６８２の長手方向から短手方向に移動するため、軸方向への摺動が規制され、歩行補助用杖１の衝撃吸収機能をＯＦＦ状態とすることができる。
【００２４】
インナーパイプ７の下端には、図４（ａ）に示すように、ジョイント部８を介して石突９が設けられている。ジョイント部８は、両端に向かって斬次縮径した硬質樹脂製の棒状体で、上端側にインナーパイプ７の下端が挿入される。ジョイント部８の略中央には、バスケット（図示せず）を螺合させる雄ネジ部８１１が形成されており、下端には、金具８２が挿入される孔部８１２が形成されている。金具８２が装着されたジョイント部８の下端は、石突９に挿入される。尚、バスケットを装着する必要がない際には、例えばジョイント部８を設けず、インナーパイプ７の下端に直接、金具８２を挿入させ、インナーパイプ７の下端、及び金具８２に石突９を装着しても良い。
【００２５】
石突９は、図４（ａ）に示すように、ジョイント部８の下端、及び金具８２に密嵌する嵌合部９２と、接地部９３を可撓性の頸部９１で一体的に連成してなるゴム製部材である。石突９は、着地時の衝撃や負荷によって頸部９１が撓むことで、歩行補助用杖１が傾いた状態でも、接地部９３の底面を地面に着けることができる。したがって、本考案の歩行補助用杖１によれば、石突９が地面に着いてから離れるまでの間、接地部９３の底面を地面に接触させておくことで、歩行補助用杖１の先端を地面にしっかりと固定しておくことができ、安定した歩行補助機能を提供することが可能となる。また、石突９の底面には、図４（ａ）、（ｂ）に示すように、円環状の凸部９３１が複数設けられているため、滑り止め機能を有している。複数の凸部９３１のうち、円環径の小さい凸部は、図４（ａ）に示すように、凸部高さが異なり、接地面に非接触となるよう構成されていることが望ましい。この場合、溝空間９３２が変形することで空気が排出され、負圧効果により接地面との密着力が増し、石突９の滑り止め効果が増幅させる。
【００２６】
以上のように構成された歩行補助用杖１は、接地面との密着力に優れ滑り止め効果を発揮するため、安全に歩行を補助することができる。また、衝撃吸収機構６により、インナーパイプ７を周方向へ回転させるだけで簡易に衝撃吸収機能のＯＮ−ＯＦＦ操作ができる。さらに、第１のグリップ２の下端にＥＶＡ製の第２のグリップ３を設けているため、使用者は把持位置を選択して使用することができるとともに、接地時の衝撃を吸収し、手首に伝達することを防ぐことが可能となる。またさらに、第２のグリップ３に凹部３２を設けているため、把持し易く、使用中に手掌が滑ることを防止することが可能となる。したがって、歩行障害者等の歩行補助のみを目的とするばかりでなく、健康増進を目的として健常者にも使い勝手の良い杖として使用することができる。
【符号の説明】
【００２７】
１      歩行補助用杖
２      第１のグリップ
３      第２のグリップ
４      アウターパイプ
５      ロック機構
６      衝撃吸収機構
６１    ナット
６２    拡張体
６３    摺動体
６４    スペーサ
６５    ストッパー
６６    支軸部
６６１  係止皿
６６２  貫通穴
６６３  雄ネジ部
６６４  摺動ピン
６７    コイルバネ
６８    シリンダー
６８１  係止段差部
６８２  長穴
７      インナーパイプ
８      ジョイント部
９      石突
【図１】
0003205612.tif 000003
【図２】
0003205612.tif 000004
【図３】
0003205612.tif 000005
【図４】
0003205612.tif 000006